【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
作動冷媒を塩素を含む旧冷媒から塩素を含まない新冷媒に変更する際に、室外機および室内機は新冷媒に対応した機器に交換し、冷媒配管は旧冷媒で使用していたものを流用する際、圧縮機および室外熱交換器と室内熱交換器との間を前記冷媒配管のガス側延長配管および液側延長配管により接続して形成した新冷媒対応回路において、塩化物を除去する塩化物回収手段を室外機熱交換器と室内機熱交換器の間の液相冷媒が流通する配管に設けることを特徴とする冷凍空調装置。
【請求項２】
前記塩化物回収手段は、室外熱交換器と室内熱交換器の間の一部に並列になるように設け、前記冷媒回路から脱着自在、または前記冷媒回路から弁切換で遮断する構造を備えることを特徴とする請求項１記載の冷凍空調装置。
【請求項３】
前記塩化物回収手段を前記冷媒回路から遮断する際に切替える弁は、自動で切替えることができることを特徴とする請求項２記載の冷凍空調装置。
【請求項４】
前記塩化物回収手段は新冷媒対応の室外機に搭載されることを特徴とする請求項１記載の冷凍空調装置。
【請求項５】
前記塩化物回収手段は新冷媒対応の室外機と前記液側延長配管の間に搭載されることを特徴とする請求項１記載の冷凍空調装置。
【請求項６】
前記塩化物回収手段は活性炭を有することを特徴とする請求項１ないし請求項５のいずれかに記載の冷凍空調装置。
【請求項７】
作動冷媒を塩素を含む旧冷媒から塩素を含まない新冷媒に変更する際に、室外機および室内機は新冷媒に対応した機器に交換し、冷媒配管は旧冷媒で使用していたものを流用する場合、圧縮機と、室外熱交換器と、室内熱交換器と、ガス延長配管と、液延長配管と、を接続し、塩化物を除去するための活性炭を備えた塩化物回収手段を室外熱交換器と室内熱交換器の間の一部に並列になるように設け、前記冷媒回路から取り外しり、或いは前記冷媒回路から弁切換で遮断したりできる構造を備える冷凍空調装置において、冷媒配管中に残留する塩化物を回収する塩化物回収運転は、前記塩化物回収手段を冷媒回路に組込むステップと、前記延長配管と室内機内を真空引きした後に冷媒を充填するステップと、圧縮機を運転して前記塩化物回収手段に冷媒を流通させて塩化物を補足するステップと、圧縮機を停止して前記塩化物回収手段を冷媒回路から切離し、または弁切換で冷媒回路から遮断するステップと、を備えたことを特徴とする冷凍空調装置の運転方法。
【請求項８】
前記塩化物回収運転は、室外機と室内機を交換する工事中に行うことを特徴とする請求項７記載の冷凍空調装置の運転方法。
【請求項９】
前記塩化物回収運転は、新冷媒機へ交換後、新冷媒回路で空気調和運転や冷凍運転を開始してからの総運転時間が所定時間経過する毎に、一定時間だけ行うことを特徴とする請求項７記載の冷凍空調装置の運転方法。
【請求項１０】
前記塩化物回収運転は、所定時間経過するまで、あるいは冷媒回路中に残留する塩化物量が所定管理値以下になるまで行うことを特徴とする請求項７に記載の冷凍空調装置の運転方法。
【請求項１１】
変更前の作動冷媒が塩素を含む弗化炭素水素系冷媒であり、変更後の作動冷媒が塩素を含まない弗化炭素水素系冷媒、炭素水素系冷媒、自然冷媒であることを特徴とする請求項１ないし請求項６のいずれかに記載の冷凍空調装置。
【手続補正２】
【補正対象書類名】明細書
【補正対象項目名】００１０
【補正方法】変更
【補正の内容】
【００１０】
【課題を解決するための手段】
本発明の請求項１に係る冷凍空調装置は、作動冷媒を塩素を含む旧冷媒から塩素を含まない新冷媒に変更する際に、室外機および室内機は新冷媒に対応した機器に交換し、冷媒配管は旧冷媒で使用していたものを流用する際、圧縮機および室外熱交換器と室内熱交換器との間を前記冷媒配管のガス側延長配管および液側延長配管により接続して形成した新冷媒対応回路において、塩化物を除去する塩化物回収手段を室外機熱交換器と室内機熱交換器の間の液相冷媒が流通する配管に設けたものである。


【手続補正３】
【補正対象書類名】明細書
【補正対象項目名】００１４
【補正方法】変更
【補正の内容】
【００１４】
また、本発明の請求項５に係る冷凍空調装置は、前記塩化物回収手段が新冷媒対応の室外機と前記液延長配管の間に搭載されるものである。
また、本発明の請求項６に係る冷凍空調装置は、前記塩化物回収手段が活性炭を有するものである。


【手続補正４】
【補正対象書類名】明細書
【補正対象項目名】００１５
【補正方法】変更
【補正の内容】
【００１５】
また、本発明の請求項７に係る冷凍空調装置は、作動冷媒を塩素を含む旧冷媒から塩素を含まない新冷媒に変更する際に、室外機および室内機は新冷媒に対応した機器に交換し、冷媒配管は旧冷媒で使用していたものを流用する場合、圧縮機と、室外熱交換器と、室内熱交換器と、ガス延長配管と、液延長配管と、を接続し、塩化物を除去するための活性炭を備えた塩化物回収手段を室外熱交換器と室内熱交換器の間の一部に並列になるように設け、前記冷媒回路から取り外しり、或いは前記冷媒回路から弁切換で遮断したりできる構造を備える冷凍空調装置において、冷媒配管中に残留する塩化物を回収する塩化物回収運転は、前記塩化物回収手段を冷媒回路に組込むステップと、前記延長配管と室内機内を真空引きした後に冷媒を充填するステップと、圧縮機を運転して前記塩化物回収手段に冷媒を流通させて塩化物を補足するステップと、圧縮機を停止して前記塩化物回収手段を冷媒回路から切離し、または弁切換で冷媒回路から遮断するステップと、を備えたものである。


【手続補正５】
【補正対象書類名】明細書
【補正対象項目名】００１６
【補正方法】変更
【補正の内容】
【００１６】
また、本発明の請求項８に係る冷凍空調装置の運転方法は、前記塩化物回収運転を、室外機と室内機を交換する工事中に行うものである。


【手続補正６】
【補正対象書類名】明細書
【補正対象項目名】００１７
【補正方法】変更
【補正の内容】
【００１７】
また、本発明の請求項９に係る冷凍空調装置の運転方法は、前記塩化物回収運転が、新冷媒機へ交換後、新冷媒回路で空気調和運転や冷凍運転を開始してからの総運転時間が所定時間経過する毎に、一定時間だけ行うものである。


【手続補正７】
【補正対象書類名】明細書
【補正対象項目名】００１８
【補正方法】変更
【補正の内容】
【００１８】
また、本発明の請求項１０に係る冷凍空調装置の運転方法は、前記塩化物回収運転が、所定時間経過するまで、あるいは冷媒回路中に残留する塩化物量が所定管理値以下になるまで行うものである。


【手続補正８】
【補正対象書類名】明細書
【補正対象項目名】００１９
【補正方法】変更
【補正の内容】
【００１９】
また、本発明の請求項１１に係る冷凍空調装置は、変更前の作動冷媒が塩素を含む弗化炭素水素系冷媒であり、変更後の作動冷媒が塩素を含まない弗化炭素水素系冷媒、炭素水素系冷媒、自然冷媒である。


【手続補正９】
【補正対象書類名】明細書
【補正対象項目名】００７２
【補正方法】変更
【補正の内容】
【００７２】
【発明の効果】
本発明の請求項１に係る冷凍空調装置は、作動冷媒を塩素を含む旧冷媒から塩素を含まない新冷媒に変更する際に、室外機および室内機は新冷媒に対応した機器に交換し、冷媒配管は旧冷媒で使用していたものを流用する際、圧縮機および室外熱交換器と室内熱交換器との間を前記冷媒配管のガス側延長配管および液側延長配管により接続して形成した新冷媒対応回路において、塩化物を除去する塩化物回収手段を室外機熱交換器と室内機熱交換器の間の液相冷媒が流通する配管に設けたので、冷媒を延長配管と塩化物回収手段に流通して、延長配管中に残留する塩化物を流動して配管外へ除去し、塩化物回収手段まで運んで吸着回収することができる。その結果、新冷媒対応回路中の残塩化物量をスラッジ発生による回路詰りや圧縮機故障を生じないことを確認した管理値以下に低減することができ、信頼性を確保することができる。


【手続補正１０】
【補正対象書類名】明細書
【補正対象項目名】００７６
【補正方法】変更
【補正の内容】
【００７６】
また、本発明の請求項５に係る冷凍空調装置は、前記塩化物回収手段が新冷媒対応の室外機と前記液延長配管の間に搭載されるので、延長配管内に残留する有害な塩化化合物などを除去する必要があり、かつ室外機に塩化物回収手段が搭載されていないときでも、回収運転を実施することができる。
また、本発明の請求項６に係る冷凍空調装置は、前記塩化物回収手段が活性炭を有するので、冷媒や冷凍機油よりも塩化物を吸着しやすい特性により、塩化物を優先回収できる。


【手続補正１１】
【補正対象書類名】明細書
【補正対象項目名】００７７
【補正方法】変更
【補正の内容】
【００７７】
また、本発明の請求項７に係る冷凍空調装置の運転方法は、冷媒配管中に残留する塩化物を回収する塩化物回収運転は、前記塩化物回収手段を冷媒回路に組込むステップと、前記延長配管と室内機内を真空引きした後に冷媒を充填するステップと、圧縮機を運転して前記塩化物回収手段に冷媒を流通させて塩化物を補足するステップと、圧縮機を停止して前記塩化物回収手段を冷媒回路から切離し、または弁切換で冷媒回路から遮断するステップと、を備えたので、塩化物回収運転中は、冷媒を延長配管と塩化物回収手段に流通して、延長配管中に残留する塩化物を流動して配管外へ除去し、塩化物回収手段まで運んで吸着回収することができる。その結果、新冷媒対応回路中の残塩化物量をスラッジ発生による回路詰りや圧縮機故障を生じないことを確認した管理値以下に低減することができ、信頼性を確保することができる。また、塩化物回収運転後に通常の冷凍空調運転へ切替えたとき、塩化物回収手段を冷媒回路から遮断して冷媒が流通できないようにするので、塩化物回収手段で吸着した有害な塩化化合物などを、運転中の冷凍空調回路に放出することを回避することができる。


【手続補正１２】
【補正対象書類名】明細書
【補正対象項目名】００７８
【補正方法】変更
【補正の内容】
【００７８】
また、本発明の請求項８に係る冷凍空調装置の運転方法は、前記塩化物回収運転を、室外機と室内機を交換する工事中に行うので、顧客に渡した後は塩化物回収手段を冷媒回路から遮断して冷媒が流通できないようにするので、塩化物回収手段で吸着した有害な塩化化合物などを、運転中の冷凍空調回路に放出することを回避することができる。


【手続補正１３】
【補正対象書類名】明細書
【補正対象項目名】００７９
【補正方法】変更
【補正の内容】
【００７９】
また、本発明の請求項９に係る冷凍空調装置の運転方法は、前記塩化物回収運転が、新冷媒機へ交換後、新冷媒回路で空気調和運転や冷凍運転を開始してからの総運転時間が所定時間経過する毎に、一定時間だけ行うので、塩化物回収手段を冷媒回路から遮断して冷媒が流通できないようにするので、塩化物回収手段で吸着した有害な塩化化合物などを、運転中の冷凍空調回路に放出することを回避することができる。


【手続補正１４】
【補正対象書類名】明細書
【補正対象項目名】００８０
【補正方法】変更
【補正の内容】
【００８０】
また、本発明の請求項１０に係る冷凍空調装置の運転方法は、前記塩化物回収運転が、所定時間経過するまで、あるいは冷媒回路中に残留する塩化物量が所定管理値以下になるまで行うので、新冷媒対応回路中の残塩化物量をスラッジ発生による回路詰りや圧縮機故障を生じないことを確認した管理値以下に低減することができ、信頼性を確保することができる。


【手続補正１５】
【補正対象書類名】明細書
【補正対象項目名】００８１
【補正方法】変更
【補正の内容】
【００８１】
また、本発明の請求項１１に係る冷凍空調装置は、変更前の作動冷媒が塩素を含む弗化炭素水素系冷媒であり、変更後の作動冷媒が塩素を含まない弗化炭素水素系冷媒、炭素水素系冷媒、自然冷媒であるので、延長配管中の塩化物吸着効果は同等であり、その結果、新冷媒対応回路中の残塩化物量をスラッジ発生による回路詰りや圧縮機故障を生じないことを確認した管理値以下に低減することができ、信頼性を確保することができる。